(57)【要約】      （修正有）【課題】異なる積木を組み合わせる時、積木の方向をあらゆる方向に変えることができ、これによりより繊細で、よりバラエティ豊かな組立て作品を創造することができる積木構造を提供する。【解決手段】積木構造の積木１は、六面体に成型し、六面体は相互に隣接する第一面１１、第二面１２、第三面１３、及び第一面１１に相対する第四面１４、第二面１２に相対する第五面１５、第三面１３に相対する第六面１６を備え、第一面１１から第六面１６の少なくとも二面には突出部１７をそれぞれ設置し、突出部１７を未設置の他の少なくとも一面には、突出部１７と結合する凹入部１８を設置し、さらに通気孔１９を設置する。【選択図】図２
0003173483.tif 000002
【実用新案登録請求の範囲】
【請求項１】
積木構造の積木は、六面体に成型し、前記六面体は、相互に隣接する第一面、第二面、第三面、及び前記第一面に相対する第四面、前記第二面に相対する第五面、前記第三面に相対する第六面を備え、前記第一面から前記第六面の少なくとも二面には、突出部をそれぞれ設置し、前記突出部を未設置の他の少なくとも一面には、前記突出部と結合する凹入部を設置することを特徴とする積木構造。
【請求項２】
前記突出部は、それぞれ前記第一面と前記第二面に設置し、前記凹入部は、
前記第四面に設置することを特徴とする請求項１に記載の積木構造。
【請求項３】
前記第一面から前記第六面の前記突出部と前記凹入部を未設置の面には、少なくとも１個の通気孔を設置することを特徴とする請求項１に記載の積木構造。
【請求項４】
前記突出部は、円柱体であることを特徴とする請求項１に記載の積木構造。
【請求項５】
前記凹入部は、他辺形孔であることを特徴とする請求項１に記載の積木構造。
【請求項６】
前記第五面には、前記凹入部を貫通する少なくとも１個の通気孔を設置することを特徴とする請求項２に記載の積木構造。
【請求項７】
前記第三面には、前記凹入部を貫通する少なくとも１個の通気孔を設置することを特徴とする請求項６に記載の積木構造。
【請求項８】
前記第六面には、前記凹入部を貫通する少なくとも１個の通気孔を設置することを特徴とする請求項７に記載の積木構造。
【考案の詳細な説明】
【技術分野】
【０００１】
本考案は結合させて組み合わせる積木に関し、特に組み合わせ時にあらゆる方向に変化させられ、より繊細で、よりバラエティ豊かな組立て作品を創造できる積木構造に関する。
【背景技術】
【０００２】
初期の積木は木材により製造する幾何学形のブロック体である。使用者は、下から上へと積み重ねる方式により、立体造形の組み合わせを行うことができる。その際、少しの不注意で接触すれば、すべてが崩れてしまう。
積木の組み合わせをより多様にし、組み合わせ時の安定性を向上させるため、現在の積木の多くはプラスチック材料で製造し、しかも嵌合構造を備える。
組み合わせ時には、嵌合構造を利用し、２個の積木を連結させることで、創造的な造形を組み合わせることができる。
【０００３】
デンマークのレゴ(ＬＥＧＯ)社製の積木を例とする。図１に示すように、その構造は大体において矩形体の積木Ａ第一面に、少なくとも１個の突柱Ａ１を設置する(積木の大きさが突柱の個数を決定する。第一面に相対する第二面には、突柱Ａ１と結合する少なくとも１個の凹部Ａ２を設置する。すなわち、この種の従来の積木は、相対する第一面と第二面にのみ設置して、連結、組合せを行う構造である。よって、使用者がこの種の積木を利用して組合せを行う時には、第一面と第二面の２方向へのみ連結、延伸を行うことができる。第一面と第二面以外の他の方向へと延伸させようとする時には、積木の第一面と第二面の局部を重ねて、少しずつ横の方へと延伸拡大させる必要がある。そのため、組み合わせた後の組立て作品は、見るからに荒く、しかも組み合わせ過程での自由性も十分でない。
【０００４】
さらに、積木組立て作品をより細やかにするため、ある種の積木の中には、非常に小さく作られた物もあるが、これは子供が誤飲しかねないという危険性をはらんでいる。一般の積木の外包装には、大人の指導の下で子供に使用させるよう記載されているが、大人はいつでも必ず子供のそばにいると保証することはできず、しかも子供の行為に完全に注意できると保証することはできない。
小さい積木を子供が一旦、口中に入れてしまえば、呼吸道をふさぎ窒息する危険性が考えられる。本考案は、従来の積木構造の上記した欠点に鑑みてなされたものである。
【考案の概要】
【考案が解決しようとする課題】
【０００５】
本考案が解決しようとする第一の課題は、実質的には相対する２方向にだけしか連結して延伸することができず、別の方向へと自由に延伸、拡大することができないため、組み合わせ後の積木組立て作品が粗く、しかも組み合わせ過程で自由に運用できないという問題があった連結構造を備える従来の積木の欠点を解決する積木構造を提供することである。
本考案が解決しようとする第二の課題は、子供が誤飲し、呼吸道をふさぎ窒息を引き起こす危険が存在する従来の小さな積木の欠点を解決することができる積木構造を提供することである。
【課題を解決するための手段】
【０００６】
上記課題を解決するため、本考案は下記の積木構造を提供する。
積木構造の六面体の積木には、異なる方向に位置する少なくとも２個の突出部を設置し、及び他の方向には少なくとも１個の凹入部を設置し、２個の積木の間の突出部と凹入部の組み合わせ対応により、より繊細で、よりバラエティ豊かな組立て作品を創造でき、積木には、空気を流通させられる通気孔を設置し、これにより、子供が誤飲して積木が呼吸道を塞いだ時にも、呼吸道の流れを保持することができ、救急処置の時間を稼ぐことができ、積木構造は、六面体を呈する積木で、相互に隣接する第一面、第二面、第三面、及び該第一面に相対する第四面、該第二面に相対する第五面、該第三面に相対する第六面を備え、該第一面から該第六面の少なくとも二面には、突出部をそれぞれ設置し、該突出部を未設置の他の少なくとも一面には、該突出部と結合する凹入部を設置し、異なる積木の該突出部と該凹入部を組み合わせる時、積木の方向をあらゆる方向に変えることができ、２個の積木を組み合わせる時、角度の改変を便利にするため、本考案は突出部を円柱体とし、
円柱体の突出部を該凹入部対応させた後、結合させる他、自由に積木の角度を改変可能とするため、本考案は凹入部を正方形孔、或いは他の幾何形状の多辺形孔とし、これにより円柱体の突出部は、該凹入部に挿入された後、該突出部の外径と該凹入部の内径は線接触を形成し、子供が積木を誤飲し、積木が呼吸道を塞いだ時にも空気の流通を保持するため、本考案は積木の六面体の、該突出部と該凹入部を未設置の他の面に、該凹入部を貫通する少なくとも１個の通気孔を設置する。  
【考案の効果】
【０００７】
本考案の積木構造は、組み合わせ時にあらゆる方向に変化させられ、より繊細で、よりバラエティ豊かな組立て作品を創造することができる。
【図面の簡単な説明】
【０００８】
【図１】従来の積木構造の立体模式図である。
【図２】本考案積木構造第一実施例の立体図である。
【図３】本考案積木構造第一実施例の平面断面図である。
【図４】本考案積木構造第二実施例の立体図である。
【図５】本考案積木構造第三実施例の立体図である。
【図６】本考案積木構造において組立てを行う実施例の立体図である。
【図７】本考案積木構造に従来の積木を対応させ組立てを行う実施例の立体図である。
【考案を実施するための形態】
【０００９】
以下に図面を参照しながら本考案を実施するための最良の形態について詳細に説明する。
【実施例】
【００１０】
図２、３に示すように、本考案の積木１は、あらゆる種類の適当な材料を採用して製造することができる。但し、コストと大量生産に対する考慮から、好ましくは、プラスチック材料を用いて射出製造する。本考案の積木は、いくつかの実施方式が可能である。
図２、３は第一実施例を示す。本考案第一実施例は、積木１を六面体に成型し、立方体、或いは長方体とすることができる。六面体は、相互に隣接する第一面１１、第二面１２、第三面１３、及び第一面１１に相対する第四面１４、第二面１２に相対する第五面１５、第三面１３に相対する第六面１６を備える。いわゆる相互に隣接するとは、第一面１１の一辺と第二面１２の一辺が連接し、第一面１１の別の一辺と第三面１３の一辺が連接し、第二面１２の別の一辺と第三面１３の別の一辺が連接するということである。第一面１１と第二面１２は、突出部１７をそれぞれ一体成型して設置する。第四面１４は、突出部１７と対応する凹入部１８を一体成型して設置する。第五面には、凹入部１８を貫通する通気孔１９を設置する。本考案の実施例では、突出部１７は、円柱体に形成し、凹入部１８は、円柱体と干渉対応する正方形孔、或いは他の幾何形状の多辺形孔である。これにより、２個の積木において、突出部１７を凹入部１８に挿入すると、突出部１７と凹入部１８との間の結合により、一定程度の緊密度を生じる。しかも、突出部１７の円柱体の外径は、凹入部１８の正方形孔の内径と線接触を生じるため、突出部１７は、凹入部１８内において自由に相対して回転することができる。またこれにより、相互に組み合わされる２個の積木は、相対して回転し、必要な方向と角度を調整することができる。
【００１１】
積木１の六面体の第五面１５に通気孔１９を設置する目的は、子供が積木を誤飲し、万が一呼吸道をふさぐようなことになっても、通気孔１９と凹入部１８との間に、気流通路が形成され、呼吸道の流れを維持することができる。これにより、子供の窒息を防ぎ、救急処置の時間を稼ぐことができる。この他、本考案は図４に示すように、積木六面体の第五面１５と第三面１３の両方に、通気孔１９を設置することができる。或いは、図５に示すように、積木六面体の第五面１５、第三面１３、第六面１６すべてに通気孔１９を設置することができる。上記したように、通気孔を多くすることで、積木が子供の呼吸道を塞ぐ危険を回避することができる。
【００１２】
上記した実施例以外に、本考案は、積木の六面体の第一面から第六面の内の三面、四面、或いは五面に、それぞれ突出部を設置することができる(図示なし)。さらに、突出部を未設置の他の少なくとも一面に、突出部と結合する凹入部を設置し、突出部と凹入部を未設置の面に、通気孔を設置することができる。
【００１３】
上記した本考案の積木構造を利用し、図６に示すように、積木組み合わせの基本ユニットとして相互に組み合わせることができる。また、図７に示すように、本考案の積木１に図１に示す従来の積木Ａを対応させて組合せを行うことができる。図７に示す組み合わせの状況では、本考案の積木は、組立て作品の角度を改変するためのカギとなる部品としての役割を果たす。すなわち、組立て作品において進路を曲げる、或いは特殊な角度とする必要が生じた時には、本考案の積木１を組み合わせる。続いて、他の積木を組み合わせれば、予想する効果を達成することができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１６】
１    積木
１１  第一面
１２  第二面
１３  第三面
１４  第四面
１５  第五面
１６  第六面
１７  突出部
１８  凹入部
１９  通気孔
Ａ    積木
Ａ１  突柱
Ａ２  凹部
【図１】
0003173483.tif 000003
【図２】
0003173483.tif 000004
【図３】
0003173483.tif 000005
【図４】
0003173483.tif 000006
【図５】
0003173483.tif 000007
【図６】
0003173483.tif 000008
【図７】
0003173483.tif 000009
【手続補正書】
【提出日】平成23年12月7日(2011.12.7)
【手続補正１】
【補正対象書類名】実用新案登録請求の範囲
【補正対象項目名】請求項５
【補正方法】変更
【補正の内容】
【請求項５】
前記凹入部は、多辺形孔であることを特徴とする請求項１に記載の積木構造。